(57)【特許請求の範囲】
【請求項１】
異なる環境下に配置された２つ以上の表示装置の中の、１つ以上の前記表示装置を介して出力されるコンテンツそれぞれの内容を示すコンテンツ情報を取得するコンテンツ情報取得手段と、
前記２つ以上の表示装置それぞれに、配置された環境を示す配置環境情報を関連付けた表示装置環境データを保持する表示装置環境保持手段と、
前記２つ以上の表示装置それぞれごとに、出力することが不適切な内容を定めたデータである表示装置毎不適切データと、前記配置環境ごとに、出力することが不適切な内容を定めたデータである配置環境毎不適切データとを保持する考査基準保持手段と、
前記表示装置毎不適切データと前記コンテンツ情報と前記表示装置環境データと前記配置環境毎不適切データとを利用して、前記コンテンツに出力することが不適切な内容が含まれていないか、前記表示装置ごとに判断する判断手段と、
前記判断部が前記コンテンツに不適切な内容が含まれると判断した場合、前記表示装置毎不適切データ及び前記配置環境毎不適切データのいずれに基づいて不適切と判断したかを示す情報とともに警告を出力する出力手段と、
を有する考査システム。
【請求項２】
請求項１に記載の考査システムにおいて、
前記判断手段で、判断対象の前記表示装置を介して出力することが不適切な内容を含むと判断された前記コンテンツの前記コンテンツ情報を利用して、前記表示装置ごとに、出力することが不適切な内容を定めたデータである表示装置毎ＮＧデータを作成する作成手段をさらに有し、
前記考査基準保持手段は、前記作成手段が作成した前記表示装置毎ＮＧデータを保持し、
前記判断手段は、前記表示装置毎不適切データと前記コンテンツ情報と前記表示装置環境データと前記配置環境毎不適切データと前記表示装置毎ＮＧデータとを利用して、前記コンテンツに出力することが不適切な内容が含まれていないか、前記表示装置ごとに判断し、
前記出力手段は、前記判断部が前記コンテンツに不適切な内容が含まれると判断した場合、前記表示装置毎不適切データ、前記配置環境毎不適切データ及び前記表示装置毎ＮＧデータのいずれに基づいて不適切と判断したかを示す情報とともに警告を出力する、考査システム。
【請求項３】
請求項１または２に記載の考査システムにおいて、
前記コンテンツ情報は、前記表示装置を介して前記コンテンツを出力するためのコンテンツデータを含み、
前記考査基準保持手段は、前記出力することが不適切な内容を定めたデータとして、出力することが不適切なワードである不適切ワードを保持し、
前記判断手段は、
前記コンテンツデータを利用して前記コンテンツに含まれる文字列を抽出し、抽出した前記文字列と、前記不適切ワードと、を照合することで、前記コンテンツに出力することが不適切な内容が含まれていないか、前記表示装置ごとに判断する、考査システム。
【請求項４】
請求項１から３のいずれか一に記載の考査システムにおいて、
前記コンテンツ情報は、前記表示装置を介して前記コンテンツを出力するためのコンテンツデータを含み、
前記考査基準保持手段は、前記出力することが不適切な内容を定めたデータとして、出力することが不適切な画像である不適切画像を保持し、
前記判断手段は、
前記コンテンツデータから取得した前記コンテンツに含まれる画像と、前記不適切画像と、を照合することで、前記コンテンツに出力することが不適切な内容が含まれていないか、前記表示装置ごとに判断する、考査システム。
【請求項５】
請求項１から４のいずれか一に記載の考査システムにおいて、
前記コンテンツ情報は、前記コンテンツの属性を示すコンテンツ属性データを含み、
前記考査基準保持手段は、前記出力することが不適切な内容を定めたデータとして、出力することが不適切なコンテンツの属性を定めた不適切コンテンツ属性データを保持し、
前記判断手段は、
前記コンテンツ属性データと、前記不適切コンテンツ属性データと、を照合することで、前記コンテンツに出力することが不適切な内容が含まれていないか、前記表示装置ごとに判断する、考査システム。
【請求項６】
請求項１から５のいずれか一に記載の考査システムと、
異なる環境下に配置された２つ以上の表示装置と、
前記考査システムにて考査されたコンテンツを、前記２つ以上の表示装置の中の、１つ以上の前記表示装置に対して送信する送信装置と、
を有するコンテンツ配信システム。
【請求項７】
コンピュータが、
異なる環境下に配置された２つ以上の表示装置それぞれに、配置された環境を示す配置環境情報を関連付けた表示装置環境データ、
前記２つ以上の表示装置それぞれごとに、出力することが不適切な内容を定めたデータである表示装置毎不適切データ、及び、
前記配置環境ごとに、出力することが不適切な内容を定めたデータである配置環境毎不適切データを保持しておき、
前記２つ以上の表示装置の中の、１つ以上の前記表示装置を介して出力されるコンテンツそれぞれの内容を示すコンテンツ情報を取得するコンテンツ情報取得工程と、
前記表示装置毎不適切データと前記コンテンツ情報と前記表示装置環境データと前記配置環境毎不適切データとを利用して、前記コンテンツに出力することが不適切な内容が含まれていないか、前記表示装置ごとに判断する判断工程と、
前記判断工程で前記コンテンツに不適切な内容が含まれると判断した場合、前記表示装置毎不適切データ及び前記配置環境毎不適切データのいずれに基づいて不適切と判断したかを示す情報とともに警告を出力する出力工程と、
を実行する考査システムの動作方法。
【請求項８】
コンピュータを、
異なる環境下に配置された２つ以上の表示装置の中の、１つ以上の前記表示装置を介して出力されるコンテンツそれぞれの内容を示すコンテンツ情報を取得するコンテンツ情報取得手段、
前記２つ以上の表示装置それぞれに、配置された環境を示す配置環境情報を関連付けた表示装置環境データを保持する表示装置環境保持手段、
前記２つ以上の表示装置それぞれごとに、出力することが不適切な内容を定めたデータである表示装置毎不適切データと、前記配置環境ごとに、出力することが不適切な内容を定めたデータである配置環境毎不適切データとを保持する考査基準保持手段、
前記表示装置毎不適切データと前記コンテンツ情報と前記表示装置環境データと前記配置環境毎不適切データとを利用して、前記コンテンツに出力することが不適切な内容が含まれていないか、前記表示装置ごとに判断する判断手段、
前記判断部が前記コンテンツに不適切な内容が含まれると判断した場合、前記表示装置毎不適切データ及び前記配置環境毎不適切データのいずれに基づいて不適切と判断したかを示す情報とともに警告を出力する出力手段、
として機能させるための考査プログラム。
【発明の詳細な説明】
【技術分野】
【０００１】
本発明は、考査システム、コンテンツ配信システム、考査システムの動作方法、および、考査プログラムに関する。
【背景技術】
【０００２】
近年、屋外、店舗内、駅構内など、様々な場所にディスプレイを有する表示装置を配置し、この表示装置を介して宣伝広告などの情報を出力するデジタルサイネージが利用されている。
【０００３】
デジタルサイネージでは、コンテンツ管理者が表示装置を介して出力されるコンテンツのデータを管理し、このデータを、インターネットなどのネットワークを介して、様々な環境下に配置された表示装置に送信する。
【０００４】
特許文献１には、デジタルサイネージに関する技術が記載されている。すなわち、デジタルサイネージ用の表示装置に表示する広告の表示スケジュールを、ユーザによるコンテンツ詳細へのアクセスに応じて変更する電子広告システムが記載されている。
【先行技術文献】
【特許文献】
【０００５】
【特許文献１】特開２００９−１２８４９８号公報
【発明の概要】
【発明が解決しようとする課題】
【０００６】
コンテンツ管理者は、管理するコンテンツの中に、出力することが不適切な内容を含まないようにする責任がある。本発明者が検討した結果、デジタルサイネージ用のコンテンツとして出力することが不適切な内容には、公衆道徳上など一般的に不適切と考えられる内容のほか、デジタルサイネージ用のコンテンツに特有な内容があることが分かった。
【０００７】
デジタルサイネージ用のコンテンツに特有な不適切な内容とは、例えば、以下のようなものが考えられる。
【０００８】
デジタルサイネージ用の表示装置は、様々な環境下に配置される。例えば、ある表示装置はＡ店の店舗内に配置され、他の表示装置はＡ店のライバル店であるＢ店の店舗内に配置される。かかる場合、Ａ店の店舗内に配置された表示装置を介して、Ａ店の宣伝広告を出力するのは不適切でないが、Ｂ店の店舗内に配置された表示装置を介して、Ｂ店のライバル店であるＡ店の宣伝広告を出力するのは不適切である。また、ある表示装置はＣ病院内に配置される場合も考えられる。かかる場合、Ｃ病院内に配置された表示装置を介して、酒類の宣伝広告を出力するのは不適切である。
【０００９】
近年、デジタルサイネージ用の表示装置の数は増加傾向にあり、かかる状況下、表示装置ごとの配置環境をも考慮して、各コンテンツに不適切な内容が含まれていないか確認するのは、非常に労力がかかる作業である。
【００１０】
そこで、本発明では、様々な環境下に配置された表示装置を介して出力されるコンテンツの中に、出力することが不適切な内容が含まれていないか、効率的に考査するための技術を提供することを課題とする。
【課題を解決するための手段】
【００１１】
本発明によれば、異なる環境下に配置された２つ以上の表示装置の中の、１つ以上の前記表示装置を介して出力されるコンテンツそれぞれの内容を示すコンテンツ情報を取得するコンテンツ情報取得手段と、前記２つ以上の表示装置それぞれごとに、出力することが不適切な内容を定めたデータである表示装置毎不適切データを保持する考査基準保持手段と、前記表示装置毎不適切データと前記コンテンツ情報とを利用して、前記コンテンツに出力することが不適切な内容が含まれていないか、前記表示装置ごとに判断する判断手段と、を有する考査システムが提供される。
【００１２】
また、本発明によれば、前記考査システムと、異なる環境下に配置された２つ以上の表示装置と、前記考査システムにて考査されたコンテンツを、前記２つ以上の表示装置の中の、１つ以上の前記表示装置に対して送信する送信装置と、を有するコンテンツ配信システムが提供される。
【００１３】
また、本発明によれば、異なる環境下に配置された２つ以上の表示装置それぞれごとに、出力することが不適切な内容を定めた表示装置毎不適切データを保持しておき、前記２つ以上の表示装置の中の、１つ以上の前記表示装置を介して出力されるコンテンツの内容を示すコンテンツ情報を取得するコンテンツ情報取得工程と、前記表示装置毎不適切データと前記コンテンツ情報とを利用して、前記コンテンツに、出力することが不適切な内容が含まれていないか、前記表示装置ごとに判断する判断工程と、を有する考査システムの動作方法が提供される。
【００１４】
また、本発明によれば、異なる環境下に配置された２つ以上の表示装置の中の、１つ以上の前記表示装置を介して出力されるコンテンツの内容を示すコンテンツ情報を取得するコンテンツ情報取得ステップと、前記２つ以上の表示装置それぞれごとに、出力することが不適切な内容を定めた表示装置毎不適切データと、前記コンテンツ情報と、を利用して、前記コンテンツに、出力することが不適切な内容が含まれていないか、前記表示装置ごとに判断する判断ステップと、をコンピュータに実行させるための考査プログラムが提供される。
【発明の効果】
【００１５】
本発明によれば、様々な環境下に配置された表示装置を介して出力されるコンテンツの中に、出力することが不適切な内容が含まれていないか効率的に考査することが可能となる。
【図面の簡単な説明】
【００１６】
【図１】実施形態１のコンテンツ配信システムの一例を説明するための模式図である。
【図２】実施形態１の考査システムの一例を示す機能ブロック図である。
【図３】表示装置毎不適切データの一例を示す模式図である。
【図４】実施形態１の考査システムの動作方法の一例を示すフローチャート図である。
【図５】実施形態１の考査システムにおける警告内容の一例を示す模式図である。
【図６】実施形態２の考査システムの一例を示す機能ブロック図である。
【図７】表示装置環境データの一例を示す模式図である。
【図８】配置環境毎不適切データの一例を示す模式図である。
【図９】実施形態２の考査システムにおける警告内容の一例を示す模式図である。
【図１０】実施形態３の考査システムの一例を示す機能ブロック図である。
【図１１】コンテンツ属性データの一例を示す模式図である。
【図１２】表示装置毎ＮＧデータの一例を示す模式図である。
【発明を実施するための形態】
【００１７】
以下、本発明の実施の形態について、図面を用いて説明する。すべての図面において、同様な構成要素には同様の符号を付し、適宜説明を省略する。
【００１８】
なお、各実施形態の考査システムを構成する各部は、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００１９】
また、各実施形態の説明において利用する機能ブロック図は、ハードウエア単位の構成ではなく、機能単位のブロックを示している。これらの図においては、各実施形態の考査システムは一つの物理的に分離した装置により実現されるよう記載されているが、その実現手段はこれに限定されない。すなわち、二つ以上の物理的に分離した装置を有線または無線で接続し、これら複数の装置により、各実施形態の考査システムを実現してもよい。
【００２０】
＜実施形態１＞
まず、本実施形態の概要について図１を用いて説明する。本実施形態のコンテンツ配信システムは、異なる環境下に配置された２つ以上の表示装置４と、１つ以上の表示装置４を介して出力されるコンテンツに不適切な内容が含まれていないか考査する考査システム１と、考査システム１にて考査されたコンテンツを表示装置４に送信する送信装置３と、を有する。コンテンツは、例えば、宣伝広告等のデジタルサイネージ用のコンテンツとすることができる。
【００２１】
図１の場合、考査システム１およびコンテンツを保持するコンテンツ保持装置２および送信装置３は、センターに配置されている。そして、表示装置４は、Ａ店と、Ａ店のライバル店であるＢ店と、Ｃ病院という、異なる環境下に配置されている。
【００２２】
このように、表示装置４が異なる環境下に配置されている場合、表示装置４を介して出力するのが不適切な内容は、表示装置４ごとに異なる。
【００２３】
例えば、Ａ店の店舗内に配置された表示装置４を介して、Ａ店の宣伝広告を出力するのは不適切でないが、Ａ店のライバル店であるＢ店の店舗内に配置された表示装置４を介して、Ａ店の宣伝広告を出力するのは不適切である。また、Ａ店が酒店である場合、Ａ店の店舗内に配置された表示装置４を介して、酒類の宣伝広告を出力するのは不適切でないが、Ｃ病院内に配置された表示装置４を介して、酒類の宣伝広告を出力するのは不適切である。
【００２４】
そこで、本実施形態の考査システム１は、表示装置４ごとに出力するのが不適切な内容を定めたデータを保持しておき、このデータを利用して、表示装置４ごとに、コンテンツの中に不適切な内容が含まれていないか考査する。そして、その考査結果を、コンテンツ管理者に向けて出力する。
【００２５】
コンテンツ管理者は、考査結果を踏まえ、必要に応じてコンテンツを視聴するなどし、内容を確認する。その後、必要に応じてコンテンツの内容の修正などの処理を行う。そして、処理後のコンテンツを基に、表示装置４を介して出力するスケジュールを作成するなどしたのち、送信装置３を介して、処理後のコンテンツを表示装置４に送信する。
【００２６】
このような本実施形態の考査システム１によれば、異なる環境下に配置された表示装置４の数が増加しても、コンピュータによる考査によりある程度のふるいをかけることができるので、人手による考査の作業量を軽減し、結果、考査の効率を向上させることができる。
【００２７】
次に、本実施形態の考査システム１の構成について、詳細に説明する。図２は、本実施形態の考査システム１の構成の一例を示す機能ブロック図である。図に示すように、本実施形態の考査システム１は、コンテンツ情報取得部１０と、考査基準保持部２０と、判断部３０と、を有する。なお、出力部４０および／または判断結果保持部５０を有してもよい。以下、各部の構成について詳細に説明する。
【００２８】
コンテンツ情報取得部１０は、異なる環境下に配置された２つ以上の表示装置４の中の、１つ以上の表示装置４を介して出力されるコンテンツそれぞれの内容を示すコンテンツ情報を取得するよう構成されている。なお、コンテンツ情報取得部１０は、異なる環境下に配置された２つ以上の表示装置４の中の、２つ以上の表示装置４を介して出力されるコンテンツそれぞれの内容を示すコンテンツ情報を取得してもよい。
【００２９】
表示装置４の構成としては特段制限されないが、ディスプレイとスピーカを有する表示装置４とすることができる。また、この表示装置４は、インターネット等のネットワークを介して送信されてきたコンテンツを受信する受信部を備えてもよい。表示装置４を配置する環境としては、例えば、学校、駅、病院、ビル内、屋外、店舗内、会社内など、あらゆる環境が考えられる。このような表示装置４を介して出力されるコンテンツは特段制限されないが、宣伝広告等を含むデジタルサイネージ用のコンテンツであってもよい。
【００３０】
次に、コンテンツの内容を示すコンテンツ情報について説明する。コンテンツ情報は、表示装置４を介してコンテンツを出力するための映像データおよび／または音声データを含むコンテンツデータを有してもよい。また、コンテンツ情報は、コンテンツの属性を示すコンテンツ属性データを有してもよい。このコンテンツ属性データは、各コンテンツを提供する主たるターゲットを定めたデータを有してもよい。例えば、コンテンツ属性データは、性別（男向け、女向け、など）、年代（２０才以上向け、２０才未満向け、など）、地域（北海道向け、関東向け、病院向け、スーパーマーケット向け、など）などを記したデータを有してもよい。その他、コンテンツ属性データは、コンテンツの内容を示すデータを有してもよい。例えば、コンテンツ属性データは、酒類広告、ビール広告、タバコ広告、お茶広告、炭酸飲料広告、Ａ社広告、などを記したデータを有してもよい。その他、コンテンツ属性データは、コンテンツ内に含まれるシーンを示すデータを有してもよい。例えば、コンテンツ属性データは、性的描写有り、グロテスク描写有り、激しい光の点滅シーンあり、サブリミナル効果有り、などを記したデータを有してもよい。なお、前記列挙はあくまで一例であり、コンテンツ属性データは、その他のデータであってもよい。このようなコンテンツ属性情報は、各コンテンツと関連付けられている。また、このようなコンテンツ属性情報は、コンテンツ作成者またはコンテンツ管理者が作成し、各コンテンツに関連付け、メモリに格納してもよい。
【００３１】
コンテンツ情報取得部１０は、考査システム１の内部メモリに格納されているコンテンツ属性情報を取り出すことで、コンテンツ属性情報の取得を実現してもよいし、または、外部機器に格納されているコンテンツ属性情報を、有線または無線での通信により取得することで、コンテンツ属性情報の取得を実現してもよい。
【００３２】
考査基準保持部２０は、２つ以上の表示装置４それぞれごとに、出力することが不適切な内容を定めたデータである表示装置毎不適切データを保持する。図３に、表示装置毎不適切データの一例を模式的に示す。図に示すように、表示装置毎不適切データは、出力することが不適切なワードである不適切ワード、および、出力することが不適切な画像である不適切画像、および、出力することが不適切なコンテンツの属性を定めた不適切コンテンツ属性データ、の中の１つ以上を有する構成とすることができる。図では、一例として、これらすべてを有する表示装置毎不適切データを示してある。このような表示装置毎不適切データは、コンテンツ管理者があらかじめ作成し、メモリに格納しておいてもよい。そして、表示装置毎不適切データは、格納後に、一部修正、追加、削除などができるようになっていてもよい。
【００３３】
判断部３０は、考査基準保持部２０が保持する表示装置毎不適切データと、コンテンツ情報取得部１０が取得したコンテンツ情報と、を利用して、コンテンツに出力することが不適切な内容が含まれていないか、表示装置４ごとに判断するよう構成されている。以下、判断部３０の具体的な処理例について説明する。
【００３４】
最初に、一例として、判断部３０はコンテンツ情報としてコンテンツデータを利用する場合について説明する。かかる場合、判断部３０は、コンテンツデータを利用してコンテンツに含まれる文字列を抽出し、抽出した文字列と、表示装置毎不適切データに含まれる不適切ワード（図３参照）と、を照合することで、コンテンツに出力することが不適切な内容が含まれていないか、表示装置４ごとに判断する。
【００３５】
例えば、判断部３０は、まず、コンテンツデータを利用して、そのコンテンツに含まれる文字列を抽出する。ここでの文字列とは、文字、数字、記号、の中の１つ以上を任意に組み合わせたものである。文字列を抽出する処理は、画像の中に文字列からなる情報が含まれていないか、例えば周知の文字認識技術を利用してフレーム毎に画像解析し、文字情報が含まれている場合には、その文字列を抽出する処理を有してもよい。その他、文字列を抽出する処理は、コンテンツデータに含まれる音声データを利用して、例えば周知の音声認識技術を利用することで音声データを文字データに変換し、この文字データで特定される文字列を抽出する処理を有してもよい。
【００３６】
上述のようにしてコンテンツに含まれる文字列を抽出した後、判断部３０は、抽出した文字列と、表示装置毎不適切データに含まれる不適切ワードと、を照合することで、判断対象のコンテンツに出力することが不適切な内容が含まれていないか、表示装置４ごとに判断する。例えば、判断部３０は、１つの表示装置４を特定し、特定した表示装置４に関連付けられている不適切ワードのすべてを個別に利用して、不適切ワードが抽出した文字列の中に含まれていないか判断する。そして、１つでも不適切ワードが含まれている場合には、判断部３０は、そのコンテンツには、特定した表示装置４を介して出力することが不適切な内容を含むと判断する。一方、不適切ワードが１つも含まれていない場合には、判断部３０は、そのコンテンツには、特定した表示装置４を介して出力することが不適切な内容を含まないと判断する。
【００３７】
次に、判断部３０はコンテンツ情報としてコンテンツデータを利用する場合の他の一例について説明する。かかる場合、判断部３０は、コンテンツデータから取得したコンテンツに含まれる画像と、表示装置毎不適切データに含まれる不適切画像（図３参照）と、を照合することで、判断対象のコンテンツに出力することが不適切な内容が含まれていないか、表示装置４ごとに判断する。コンテンツデータから取得したコンテンツに含まれる画像とは、各フレームの画像とすることができる。
【００３８】
例えば、判断部３０は、１つの表示装置４を特定し、特定した表示装置４に関連付けられている不適切画像のすべてを個別に利用して、各フレームの中に、不適切画像が含まれていないか判断する。この判断は、周知の画像認識技術を利用して実現してもよい。例えば、一定以上の類似度（任意の設計事項）を有する画像が含まれていれば、不適切画像が含まれていると判断するよう構成してもよい。判断の結果、１つでも不適切画像が含まれている場合には、判断部３０は、そのコンテンツには、特定した表示装置４を介して出力することが不適切な内容を含むと判断する。一方、不適切画像が１つも含まれていない場合には、判断部３０は、そのコンテンツには、特定した表示装置４を介して出力することが不適切な内容を含まないと判断する。
【００３９】
次に、判断部３０はコンテンツ情報としてコンテンツ属性データを利用する場合について説明する。かかる場合、判断部３０は、コンテンツ属性データと、表示装置毎不適切データに含まれる不適切コンテンツ属性データ（図３参照）と、を照合することで、コンテンツに出力することが不適切な内容が含まれていないか、表示装置４ごとに判断する。
【００４０】
例えば、判断部３０は、１つの表示装置４を特定し、特定した表示装置４に関連付けられている不適切コンテンツ属性データのすべてを個別に利用して、コンテンツ属性データの中に、不適切コンテンツ属性データが含まれていないか判断する。判断の結果、１つでも不適切コンテンツ属性データが含まれている場合には、判断部３０は、そのコンテンツには、特定した表示装置４を介して出力することが不適切な内容を含むと判断する。一方、不適切コンテンツ属性データが１つも含まれていない場合には、判断部３０は、そのコンテンツには、特定した表示装置４を介して出力することが不適切な内容を含まないと判断する。
【００４１】
なお、上述した判断部３０の処理例はあくまで一例であり、上記に準じた他の処理とすることも可能である。また、判断部３０は、上述した３つの処理例の中の任意の２つ以上を組み合わせた処理を行うよう構成することもできる。例えば、判断部３０は、判断の結果、１つでも不適切ワードまたは不適切画像または不適切コンテンツ属性データが含まれている場合には、そのコンテンツには、特定した表示装置４を介して出力することが不適切な内容を含むと判断してもよい。そして、判断部３０は、判断の結果、不適切ワードおよび不適切画像および不適切コンテンツ属性データがいずれも含まれていない場合には、そのコンテンツには、特定した表示装置４を介して出力することが不適切な内容を含まないと判断してもよい。
【００４２】
判断結果保持部５０は、判断部３０による前記判断処理の結果を保持するよう構成されている。判断処理の結果は、例えば、判断対象のコンテンツと判断対象の表示装置４とを関連付けたデータに、不適切な内容を含むか否かを識別する情報を関連付けたものであってもよい。このデータには、さらに、なぜ不適切と判断したのかを示す情報が含まれていてもよい。例えば、コンテンツの中に含まれていた不適切ワードおよび／または不適切画像や、コンテンツ属性データの中に含まれていた不適切コンテンツ属性データ、を出力してもよい。この際、その不適切ワードおよび／または不適切画像が現れるコンテンツ中の箇所をあわせて出力してもよい。コンテンツ中の箇所とは、コンテンツの冒頭からの経過時間で示される情報であってもよい。
【００４３】
出力部４０は、判断部３０がコンテンツに不適切な内容が含まれていると判断した場合には、その旨を示す警告を出力するよう構成されている。警告を出力する実現手段としては特段制限されず、例えば、ディスプレイ、スピーカ、プリンターなどあらゆる機器を利用して実現することができる。
【００４４】
なお、警告を示す内容の中には、なぜ不適切と判断したのかを示す情報が含まれていてもよい。例えば、コンテンツの中に含まれていた不適切ワードおよび／または不適切画像や、コンテンツ属性データの中に含まれていた不適切コンテンツ属性データ、を出力してもよい。この際、その不適切ワードおよび／または不適切画像が現れるコンテンツ中の箇所をあわせて出力してもよい。
【００４５】
出力部４０は、判断部３０または判断結果保持部５０から、判断部３０による判断結果を取得し、これを利用して、上記出力を実現することができる。
【００４６】
次に、本実施形態の考査システムの動作方法について説明する。
【００４７】
本実施形態の考査システムの動作方法は、異なる環境下に配置された２つ以上の表示装置それぞれごとに、出力することが不適切な内容を定めた表示装置毎不適切データ（図３参照）を保持しておき、前記２つ以上の表示装置の中の、１つ以上の前記表示装置を介して出力されるコンテンツの内容を示すコンテンツ情報を取得するコンテンツ情報取得工程と、前記表示装置毎不適切データと前記コンテンツ情報とを利用して、前記コンテンツに、出力することが不適切な内容が含まれていないか、前記表示装置ごとに判断する判断工程と、を有する。なお、前記コンテンツ情報取得工程は、前記２つ以上の表示装置の中の、２つ以上の前記表示装置を介して出力されるコンテンツの内容を示すコンテンツ情報を取得する工程であってもよい。
【００４８】
以下、図４のフローチャート図を用いて、本実施形態の考査システム１の動作方法の処理の流れの一例を説明する。
【００４９】
まず、考査システム１は、１つのコンテンツのコンテンツ情報を取得する。例えば、内部メモリに格納されているコンテンツ情報を取り出す（ステップＳ１０）。
【００５０】
次に、考査システム１は、ステップＳ１０で取得したコンテンツ情報が内容を示すコンテンツを出力する１つ以上の表示装置４の中から１つの表示装置４を特定する（ステップＳ２０）。例えば、コンテンツ情報のコンテンツ属性情報の中に、そのコンテンツを出力する表示装置４の識別情報が記載されていてもよい。そして、考査システム１は、コンテンツ属性情報の中に記載されている１つ以上の表示装置４の識別情報の中から、１つの識別情報を特定することで、１つの表示装置４の特定を実現してもよい。
【００５１】
その後、考査システム１は、特定した表示装置４に関連付けられている表示装置毎不適切データを取得する（ステップＳ３０）。例えば、ステップＳ２０で特定した表示装置４の識別情報をキーとして、考査基準保持部２０内を検索し、そのキーが関連付けられている表示装置毎不適切データを特定、取得する。このようにして、考査基準保持部２０から、その表示装置４に関連付けられている表示装置毎不適切データを取り出してもよい。
【００５２】
次に、考査システム１は、ステップＳ１０で取得したコンテンツ情報と、ステップＳ３０で取得した表示装置毎不適切データと、を利用して、考査を行う（ステップＳ４０）。すなわち、ステップＳ１０で取得したコンテンツ情報が内容を示すコンテンツの中に、特定した表示装置４を介して出力することが不適切である内容が含まれていないか判断する。この判断処理については、上記判断部３０で説明した通りであるので、ここでの説明は省略する。
【００５３】
その後、考査システム１は、ステップＳ４０での考査結果をメモリ（判断結果保持部５０）に格納する（ステップＳ５０）。ここでの「考査結果」は、上述した「判断部３０による判断処理の結果」と同じ概念である。
【００５４】
その後、考査システム１は、ステップＳ１０で取得したコンテンツ情報が内容を示すコンテンツを出力する表示装置４であって、いまだ考査が行われていない表示装置４があるか判断する（ステップＳ６０）。判断の結果、考査が行われていない表示装置４がある場合には（ステップＳ６０のＹｅｓ）、ステップＳ２０に戻り、上記処理を繰り返す。一方、判断の結果、考査が行われていない表示装置４がない場合には（ステップＳ６０のＮｏ）、ステップＳ７０に進む。
【００５５】
ステップＳ７０では、考査システム１は、ステップＳ１０で取得したコンテンツ情報が内容を示すコンテンツの中に、出力することが不適切な内容が含まれていたか判断する。この判断は、ステップＳ５０で格納した考査結果を利用して、実現することができる。判断の結果、１つ以上の表示装置４において、出力することが不適切である内容が含まれていた場合には（ステップＳ７０のＹｅｓ）、ステップＳ８０に進む。一方、判断の結果、すべての表示装置４において、出力することが不適切である内容が含まれていなかった場合には（ステップＳ７０のＮｏ）、処理を終了する。
【００５６】
ステップＳ８０では、考査システム１は、ステップＳ１０で取得したコンテンツ情報が内容を示すコンテンツに、出力することが不適切である内容が含まれていることを示す警告を、コンテンツ管理者に向けて出力する。この警告は、表示装置４を特定し、コンテンツに含まれている不適切な内容をもあわせて出力してもよい。図５に、考査システム１が出力する内容の一例を模式的に示す。なお、図５では、不適切な内容を含むこととなる表示装置４のみを列挙して警告となる情報を出力する例を示したが、不適切な内容を含むこととならない表示装置４をもあわせて列挙してもよい。すなわち、考査したすべての表示装置４を列挙してもよい。かかる場合、不適切な内容を含むこととなる表示装置４に関する情報は、赤字表示、太字表示、点滅表示、など、の手法を用いて、不適切な内容を含むこととならない表示装置４に関する情報と識別可能に表示してもよい。
【００５７】
この後、コンテンツ管理者は、ステップＳ８０で出力された警告内容（図５参照）を利用し、必要に応じてコンテンツを視聴するなどして、不適切な内容を含むこととなると警告されている表示装置４にそのコンテンツを出力することが不適切か否か判断する。そして、必要に応じてコンテンツの内容を修正する。この修正は、不適切な内容を含むこととなると警告されている表示装置４向けのコンテンツのみに対する修正であってもよい。すなわち、この表示装置４にのみ出力するコンテンツが作成されてもよい。なお、上記確認の結果、問題ないと判断した場合にはそのままのコンテンツを、その表示装置４に出力するよう判断することもできる。
【００５８】
その後、考査システム１による考査およびその後のコンテンツ管理者による上記考査を終えたコンテンツは、表示装置４に出力され、あらかじめ定められたスケジュールに従って出力される。
【００５９】
なお、上記例ではバッチ処理する例を示したが、その他、リアルタイム処理により、不適切な内容を見つけるごとに、または、１つの表示装置４の考査が終了するごとに、警告を出力するように構成してもよい。
【００６０】
上記説明によれば、異なる環境下に配置された２つ以上の表示装置の中の、１つ以上の前記表示装置を介して出力されるコンテンツの内容を示すコンテンツ情報を取得するコンテンツ情報取得ステップと、前記２つ以上の表示装置それぞれごとに、出力することが不適切な内容を定めた表示装置毎不適切データと、前記コンテンツ情報と、を利用して、前記コンテンツに、出力することが不適切な内容が含まれていないか、前記表示装置ごとに判断する判断ステップと、をコンピュータに実行させるための考査プログラムも開示されている。なお、前記コンテンツ情報取得ステップは、前記２つ以上の表示装置の中の、２つ以上の前記表示装置を介して出力されるコンテンツの内容を示すコンテンツ情報を取得するステップであってもよい。
【００６１】
このような本実施形態の考査システム、考査システムの動作方法、コンテンツ配信システム、および、考査プログラムによれば、異なる環境下に配置された２つ以上の表示装置の中の、１つ以上の表示装置を介して出力されるコンテンツの中に、不適切な内容が含まれていないか確認する作業の効率を向上させることができるほか、考査の精度を向上させることができる。その結果、表示装置を配置しているユーザからのクレームを軽減することが期待される。
【００６２】
＜実施形態２＞
本実施形態は、実施形態１を基本とし、考査システム１は表示装置環境保持部６０を有する点と、考査基準保持部２０および判断部３０および出力部４０の一部構成と、が異なる。
【００６３】
図６は、本実施形態の考査システム１の構成の一例を示す機能ブロック図である。図に示すように、本実施形態の考査システム１は、コンテンツ情報取得部１０と、考査基準保持部２０と、判断部３０と、表示装置環境保持部６０と、を有する。なお、出力部４０および／または判断結果保持部５０を有してもよい。コンテンツ情報取得部１０と判断結果保持部５０の構成については、実施形態１と同様であるので、ここでの説明は省略する。以下、本実施形態の表示装置環境保持部６０、考査基準保持部２０、判断部３０、出力部４０の構成について詳細に説明する。
【００６４】
表示装置環境保持部６０は、２つ以上の表示装置４それぞれに、配置された環境を示す配置環境情報を関連付けた表示装置環境データを保持する。図７に、表示装置環境データの一例を模式的に示す。図７の表示装置環境データでは、表示装置ＩＤ「００００００１」で特定される表示装置４は、関東にある病院に配置されていることが示されている。また、図７の表示装置環境データでは、表示装置ＩＤ「００００００２」で特定される表示装置４は、関西にあるＡ社の食堂に配置されていることが示されている。なお、図７に示す配置環境情報はあくまで一例であり、その他、国名、都道府県名、市町村名、などの情報が含まれてもよいし、さらに詳細な情報が含まれてもよい。
【００６５】
考査基準保持部２０は、配置環境ごとに、出力することが不適切な内容を定めたデータである配置環境毎不適切データを保持する。図８に、配置環境毎不適切データの一例を模式的に示す。図に示すように、配置環境毎不適切データは、出力することが不適切なワードである不適切ワード、および、出力することが不適切な画像である不適切画像、および、出力することが不適切なコンテンツの属性を定めた不適切コンテンツ属性データ、の中の１つ以上を有する構成とすることができる。図では、一例として、これらすべてを有する表示装置毎不適切データを示してある。このような配置環境毎不適切データは、コンテンツ管理者があらかじめ作成し、メモリに格納しておいてもよい。そして、配置環境毎不適切データは、格納後に、一部修正、追加、削除などができるようになっていてもよい。
【００６６】
判断部３０は、判断対象の表示装置４の配置環境を、表示装置環境データ（図７参照）を利用して特定し、特定した配置環境における配置環境毎不適切データ（図８参照）と、判断対象のコンテンツのコンテンツ情報と、を利用して、判断対象のコンテンツに、出力することが不適切な内容が含まれていないか判断するよう構成されている。例えば、判断部３０は、表示装置環境データを利用して、判断対象の表示装置４に関連付けられている１つ以上のキーワード（配置環境）を取得する。そして、判断部３０は、取得したキーワード（配置環境）を個別に利用して、配置環境毎不適切データ内を検索し、出力することが不適切な内容（不適切ワードなど）を特定後、その特定した不適切な内容（不適切ワードなど）と、判断対象のコンテンツのコンテンツ情報と、を利用して、判断対象のコンテンツに、出力することが不適切な内容が含まれていないか判断する。特定した不適切な内容（不適切ワードなど）を利用した判断部３０の具体的な処理例は、実施形態１に準じて実現できるので、ここでの説明は省略する。
【００６７】
出力部４０は、警告を出力する際、表示装置毎不適切データ（図３参照）および配置環境毎不適切データ（図８参照）のいずれに基づいて不適切と判断されたのか、を識別できるように警告を出力してもよい。図９に、出力部４０が出力する内容の一例を模式的に示す。このような表示態様にした場合、コンテンツ管理者は、警告の程度を判断することができる。
【００６８】
例えば、表示装置毎不適切データは、表示装置毎に不適切な内容を定めたデータである。このような表示装置毎不適切データに基づいて不適切な内容を含むと判断された場合、コンテンツ管理者は、コンテンツの内容を修正する必要性が高いと判断することができる。一方、配置環境毎不適切データは、表示装置ごとではなく、配置環境ごとに不適切な内容を定めたデータである。このような配置環境毎不適切データに基づいて不適切な内容を含むと判断された場合、場合によっては、コンテンツの内容を修正せずにそのまま利用することができるかもしれないと、コンテンツ管理者は判断することができる。
【００６９】
本実施形態の考査システム１の動作方法の処理の流れは、実施形態１で説明した処理の流れに準じて実現することができる。すなわち、ステップＳ４０において、考査システム１は、コンテンツ情報と、表示装置毎不適切データおよび配置環境毎不適切データと、を利用して、考査を行うように構成することで実現できる。
【００７０】
このような本実施形態の考査システム、考査システムの動作方法、コンテンツ配信システム、および、考査プログラムによれば、実施形態１に比べて、コンピュータによる考査の精度を維持したまま、人手の作業を軽減することが可能となる。すなわち、表示装置の数が増加していけば、表示装置ごとに出力することが不適切な内容を定めたデータを作成する作業は、多大な労力を要する作業となる。しかし、本実施形態のように、配置環境ごとに出力することが不適切な内容を定めたデータをも利用して考査を行うようにした場合、表示装置ごとに出力することが不適切な内容を定めたデータとして登録すべき情報の量は少なくなる。その結果、人手により、出力することが不適切な内容を定めたデータを作成する作業量を軽減することが可能となる。
【００７１】
＜実施形態３＞
本実施形態は、実施形態１または２を基本とし、考査システム１は作成部７０を有する点と、考査基準保持部２０および判断部３０および出力部４０の一部構成と、が異なる。
【００７２】
図１０は、本実施形態の考査システム１の構成の一例を示す機能ブロック図である。図に示すように、本実施形態の考査システム１は、コンテンツ情報取得部１０と、考査基準保持部２０と、判断部３０と、作成部７０と、を有する。なお、出力部４０および／または判断結果保持部５０および／または表示装置環境保持部６０（図示せず）を有してもよい。コンテンツ情報取得部１０と判断結果保持部５０と表示装置環境保持部６０（図示せず）の構成については、実施形態１および２と同様であるので、ここでの説明は省略する。以下、本実施形態の作成部７０、考査基準保持部２０、判断部３０、出力部４０の構成について詳細に説明する。
【００７３】
作成部７０は、判断部３０で、判断対象の表示装置４を介して出力することが不適切な内容を含むと判断されたコンテンツのコンテンツ情報を利用して、表示装置４ごとに、出力することが不適切な内容を定めたデータである表示装置毎ＮＧデータを作成するよう構成されている。
【００７４】
例えば、判断部３０が、コンテンツＩＤ「ＢＢＢＢＢ」のコンテンツは、表示装置ＩＤ「００００００１」の表示装置４を介して出力することが不適切な内容を含む、と判断した場合を考える。図１１に、コンテンツＩＤ「ＢＢＢＢＢ」のコンテンツのコンテンツ情報（コンテンツ属性データ）の一例を模式的に示す。図１１に示すコンテンツ属性データには、「男向け」、「ビール広告」、「Ａ社広告」、「激しい光の点滅シーンあり」の４つの属性が記載されている。作成部７０は、このようなコンテンツ属性データを利用し、例えば、コンテンツ属性データに記載されているすべての属性をアンド条件としたＮＧデータを作成して、表示装置ＩＤ「００００００１」に関連付ける。図１２に、作成部７０が作成した表示装置毎ＮＧデータの一例を模式的に示す。なお、上記例の他、作成部７０は、コンテンツ属性データに記載されている属性の中の、所定数以下（例：３個以下）の属性をアンド条件としたＮＧデータを作成するように構成してもよい。かかる場合、コンテンツ属性データに複数の属性を記載する場合、それらの属性に優先順位を付して記載するようにし、作成部７０は、優先順位の高いものから順に所定数の属性を利用して、それらをアンド条件としたＮＧデータを作成してもよい。
【００７５】
考査基準保持部２０は、作成部７０が作成した表示装置毎ＮＧデータ（図１２参照）を保持する。
【００７６】
判断部３０は、表示装置毎ＮＧデータと、コンテンツ情報と、を利用して、コンテンツに出力することが不適切な内容が含まれていないか、表示装置４ごとに判断するよう構成されている。例えば、判断部３０は、１つの属性で構成されるＮＧデータ、または、２つ以上の属性をアンド条件としたＮＧデータを個別に利用し、コンテンツ情報のコンテンツ属性データ内に、ＮＧデータと一致する情報が含まれていないか照合する。判断部３０の具体的な処理例は、実施形態１に準じて実現できるので、ここでの説明は省略する。
【００７７】
出力部４０は、警告を出力する際、表示装置毎不適切データ（図３参照）および表示装置毎ＮＧデータ（図１２参照）のいずれに基づいて不適切と判断されたのか、を識別できるように警告を出力してもよい。また、判断部３０が配置環境毎不適切データ（図８参照）をも利用して判断処理を行う場合には、出力部４０は、警告を出力する際、表示装置毎不適切データ（図３参照）および配置環境毎不適切データ（図８参照）および表示装置毎ＮＧデータ（図１２参照）のいずれに基づいて不適切と判断されたのか、を識別できるように警告を出力してもよい。表示態様は、実施形態２に準じた態様（図９参照）であってもよい。このような表示態様にした場合、コンテンツ管理者は、警告の程度を判断することができる。例えば、表示装置毎ＮＧデータは、過去に不適切と判断された内容を利用して、表示装置毎に不適切な内容を定めたデータである。このような表示装置毎ＮＧデータに基づいて不適切な内容を含むと判断された場合、コンテンツ管理者は、コンテンツの内容を修正する必要性が非常に高いと判断することができる。これに対し、表示装置毎不適切データは、あらかじめ表示装置毎に不適切な内容を定めたデータである。このような表示装置毎不適切データに基づいて不適切な内容を含むと判断された場合、コンテンツ管理者は、コンテンツの内容を修正する必要性が高いと判断することができる。これらに対し、配置環境毎不適切データは、表示装置毎ではなく、配置環境毎に不適切な内容を定めたデータである。このような配置環境毎不適切データに基づいて不適切な内容を含むと判断された場合、場合によっては、コンテンツの内容を修正せずにそのまま利用することができるかもしれないと、コンテンツ管理者は判断することができる。
【００７８】
本実施形態の考査システム１の動作方法の処理の流れは、実施形態１で説明した処理の流れに準じて実現することができる。すなわち、ステップＳ４０において、考査システム１は、コンテンツ情報と、表示装置毎不適切データおよび表示装置毎ＮＧデータと、を利用して、考査を行うように構成することで実現できる。なお、ステップＳ４０において、考査システム１は、コンテンツ情報と、表示装置毎不適切データおよび配置環境毎不適切データおよび表示装置毎ＮＧデータと、を利用して、考査を行うように構成してもよい。
【００７９】
このような本実施形態の考査システム、考査システムの動作方法、コンテンツ配信システム、および、考査プログラムによれば、過去の考査結果に基づいて、コンピュータによる処理により、出力することが不適切な内容を表示装置ごとに定めたＮＧデータを作成して、蓄積していくことができる。その結果、人手による作業負担をかけずに、コンピュータによる考査の精度を向上させていくことが実現される。
以下、参考形態の例を付記する。
１．  異なる環境下に配置された２つ以上の表示装置の中の、１つ以上の前記表示装置を介して出力されるコンテンツそれぞれの内容を示すコンテンツ情報を取得するコンテンツ情報取得手段と、
前記２つ以上の表示装置それぞれごとに、出力することが不適切な内容を定めたデータである表示装置毎不適切データを保持する考査基準保持手段と、
前記表示装置毎不適切データと前記コンテンツ情報とを利用して、前記コンテンツに出力することが不適切な内容が含まれていないか、前記表示装置ごとに判断する判断手段と、
を有する考査システム。
２．  １に記載の考査システムにおいて、
前記２つ以上の表示装置それぞれに、配置された環境を示す配置環境情報を関連付けた表示装置環境データを保持する表示装置環境保持手段をさらに有し、
前記考査基準保持手段は、
前記配置環境ごとに、出力することが不適切な内容を定めたデータである配置環境毎不適切データを保持し、
前記判断手段は、
判断対象の前記表示装置の配置環境を、前記表示装置環境データを利用して特定し、特定した前記配置環境における前記配置環境毎不適切データと、判断対象の前記コンテンツの前記コンテンツ情報と、を利用して、判断対象の前記コンテンツに出力することが不適切な内容が含まれていないか判断する、考査システム。
３．  １または２に記載の考査システムにおいて、
前記判断手段で、判断対象の前記表示装置を介して出力することが不適切な内容を含むと判断された前記コンテンツの前記コンテンツ情報を利用して、前記表示装置ごとに、出力することが不適切な内容を定めたデータである表示装置毎ＮＧデータを作成する作成手段をさらに有し、
前記考査基準保持手段は、前記作成手段が作成した前記表示装置毎ＮＧデータを保持し、
前記判断手段は、
前記表示装置毎ＮＧデータと前記コンテンツ情報とを利用して、前記コンテンツに出力することが不適切な内容が含まれていないか、前記表示装置ごとに判断する、考査システム。
４．  １から３のいずれか一に記載の考査システムにおいて、
前記コンテンツ情報は、前記表示装置を介して前記コンテンツを出力するためのコンテンツデータを含み、
前記考査基準保持手段は、前記出力することが不適切な内容を定めたデータとして、出力することが不適切なワードである不適切ワードを保持し、
前記判断手段は、
前記コンテンツデータを利用して前記コンテンツに含まれる文字列を抽出し、抽出した前記文字列と、前記不適切ワードと、を照合することで、前記コンテンツに出力することが不適切な内容が含まれていないか、前記表示装置ごとに判断する、考査システム。
５．  １から４のいずれか一に記載の考査システムにおいて、
前記コンテンツ情報は、前記表示装置を介して前記コンテンツを出力するためのコンテンツデータを含み、
前記考査基準保持手段は、前記出力することが不適切な内容を定めたデータとして、出力することが不適切な画像である不適切画像を保持し、
前記判断手段は、
前記コンテンツデータから取得した前記コンテンツに含まれる画像と、前記不適切画像と、を照合することで、前記コンテンツに出力することが不適切な内容が含まれていないか、前記表示装置ごとに判断する、考査システム。
６．  １から５のいずれか一に記載の考査システムにおいて、
前記コンテンツ情報は、前記コンテンツの属性を示すコンテンツ属性データを含み、
前記考査基準保持手段は、前記出力することが不適切な内容を定めたデータとして、出力することが不適切なコンテンツの属性を定めた不適切コンテンツ属性データを保持し、
前記判断手段は、
前記コンテンツ属性データと、前記不適切コンテンツ属性データと、を照合することで、前記コンテンツに出力することが不適切な内容が含まれていないか、前記表示装置ごとに判断する、考査システム。
７．  １から６のいずれか一に記載の考査システムにおいて、
前記判断手段が前記コンテンツに不適切な内容が含まれていると判断した場合には、その旨を示す警告を出力する出力手段、をさらに有する考査システム。
８．  １から７のいずれか一に記載の考査システムと、
異なる環境下に配置された２つ以上の表示装置と、
前記考査システムにて考査されたコンテンツを、前記２つ以上の表示装置の中の、１つ以上の前記表示装置に対して送信する送信装置と、
を有するコンテンツ配信システム。
９．  異なる環境下に配置された２つ以上の表示装置それぞれごとに、出力することが不適切な内容を定めた表示装置毎不適切データを保持しておき、
前記２つ以上の表示装置の中の、１つ以上の前記表示装置を介して出力されるコンテンツの内容を示すコンテンツ情報を取得するコンテンツ情報取得工程と、
前記表示装置毎不適切データと前記コンテンツ情報とを利用して、前記コンテンツに、出力することが不適切な内容が含まれていないか、前記表示装置ごとに判断する判断工程と、
を有する考査システムの動作方法。
１０．  異なる環境下に配置された２つ以上の表示装置の中の、１つ以上の前記表示装置を介して出力されるコンテンツの内容を示すコンテンツ情報を取得するコンテンツ情報取得ステップと、
前記２つ以上の表示装置それぞれごとに、出力することが不適切な内容を定めた表示装置毎不適切データと、前記コンテンツ情報と、を利用して、前記コンテンツに、出力することが不適切な内容が含まれていないか、前記表示装置ごとに判断する判断ステップと、
をコンピュータに実行させるための考査プログラム。
【符号の説明】
【００８０】
１    考査システム
２    コンテンツ保持装置
３    送信装置
４    表示装置
１０  コンテンツ情報取得部
２０  考査基準保持部
３０  判断部
４０  出力部
５０  判断結果保持部
６０  表示装置環境保持部
７０  作成部
【図１】
0005454118.tif 000002
【図２】
0005454118.tif 000003
【図３】
0005454118.tif 000004
【図４】
0005454118.tif 000005
【図５】
0005454118.tif 000006
【図６】
0005454118.tif 000007
【図７】
0005454118.tif 000008
【図８】
0005454118.tif 000009
【図９】
0005454118.tif 000010
【図１０】
0005454118.tif 000011
【図１１】
0005454118.tif 000012
【図１２】
0005454118.tif 000013